(57)【特許請求の範囲】
【請求項１】
テレビ放送視聴機能を備えた携帯型電話装置において、
映像を表示する表示部と、
音を出力する音出力部と、
テレビ放送視聴モードにおける前記音出力部の音に関する設定情報と電話モードにおける前記音出力部の音に関する設定情報が格納される記憶手段と、
テレビ放送視聴モードではテレビ放送視聴モードにおける前記音出力部の音に関する設定情報を前記記憶手段から読み出して前記音出力部の設定を行う一方、電話モードでは電話モードにおける前記音出力部の音に関する設定情報を前記記憶手段から読み出して前記音出力部の設定を行う制御手段と、を備え、
前記音出力部の音に関する設定情報は、音量情報を含み、
電話モードにおける音量情報は、メニュー画面を利用して設定可能であり、
前記音出力部は、電話モードにおいて着信があった場合に、前記メニュー画面を利用して設定された着信時の音量情報である着信音量情報に基づいて音を出力し、テレビ放送視聴モードにおいて着信があった場合に、テレビ放送視聴モード時の着信音量情報に基づいて音を出力する、携帯型電話装置。
【請求項２】
前記音出力部が電話モードにおいて前記メニュー画面を利用して設定された着信音量情報に基づいて音を出力した後、テレビ放送視聴モードに移行し、当該テレビ放送視聴モードにおいて着信があった場合、前記音出力部は、テレビ放送視聴モード時の着信音量情報に基づいて音を出力し、
前記テレビ放送視聴モード時に出力される音は、直前の電話モードにおいて出力された音よりも音量が小さくなるように設定される、請求項１に記載の携帯型電話装置。
【発明の詳細な説明】
【技術分野】
【０００１】
この発明は、ＴＶ視聴機能を備えた携帯型電話装置に関する。
【背景技術】
【０００２】
携帯型電話装置においては、表示装置として例えばカラー液晶ディスプレイを備え、このディスプレイ上に電話モードにおける待ち受け画面や送信時／受信時画面などを表示できるようになっており、この表示の輝度調整をメニュー画面上で設定できるようになっている。また、着信音の音量もメニュー画面上で設定できるようになっている。これらの設定に基づき、ディスプレイのドライバやスピーカアンプが調整されることになる。また、近年、テレビ放送視聴機能が設けられた携帯型電話装置が提案されており（特許文献１参照）、放送受信に基づく映像は前記ディスプレイのドライバに供給され、放送受信に基づく音声は前記スピーカアンプに供給されることになる。
【先行技術文献】
【特許文献】
【０００３】
【特許文献１】特開平１１−１８４５７６号公報
【発明の概要】
【発明が解決しようとする課題】
【０００４】
しかしながら、従来装置においては、ディスプレイやスピーカアンプの設定は電話機としての設定が反映されることになるため、例えば、待ち受け画面が低コントラストに設定されていた場合、上記放送受信に基づく映像も低コントラストで表示されたり、着信音を最高値に設定していた場合、この設定値に基づいて上記放送受信に基づく音声も最高値で出力されてしまうことになる。また、消費電力低減のために時間経過で画面輝度を低下させる低輝度設定がなされている場合であれば、テレビ放送の視聴途中で低輝度画面に勝手に切り替わってしまう。
【０００５】
この発明は、上記事情に鑑み、テレビ放送視聴機能を備えた携帯型電話装置において、テレビ放送視聴が快適に行えるようにすることを目的とする。
【課題を解決するための手段】
【０００６】
この発明の携帯型電話装置は、上記の課題を解決するために、テレビ放送視聴機能を備えた携帯型電話装置において、テレビ放送視聴モードの画像に関する設定情報と電話モードの画像に関する設定情報が格納される記憶手段と、テレビ放送視聴モードでは前記放送視聴モードの画像に関する設定情報を前記記憶手段から読み出して表示装置の設定を行う一方、電話モードでは前記電話モードの画像に関する設定情報を前記記憶手段から読み出して表示装置の設定を行う制御手段と、を備えたことを特徴とする。
【０００７】
上記の構成であれば、画像に関して、電話モード時とテレビ放送視聴モード時とで別々の設定が可能となるため、テレビ放送視聴が快適に行える。
【０００８】
前記画像に関する設定情報には、画面輝度設定及びコントラスト設定のうちの少なくとも一つが含まれるのがよい。また、電話モードの画像に関する設定情報については時間経過で画面輝度を低下させる低輝度設定情報を持たせる一方でテレビ放送視聴モードの画像に関する設定情報については前記低輝度設定情報を持たないか或いは異なる低輝度設定情報を持つ設定が行えるのがよい。
【０００９】
また、この発明の携帯型電話装置は、テレビ放送視聴機能を備えた携帯型電話装置において、テレビ放送視聴モードの音に関する設定情報と電話モードの音に関する設定情報が格納される記憶手段と、テレビ放送視聴モードでは前記放送視聴モードの音に関する設定情報を前記記憶手段から読み出して音出力部の設定を行う一方、電話モードでは前記電話モードの音に関する設定情報を前記記憶手段から読み出して音出力部の設定を行う制御手段と、を備えたことを特徴とする。
【００１０】
上記の構成であれば、音に関して、電話モード時とテレビ放送視聴モード時とで別々の設定が可能となるため、テレビ放送視聴が快適に行える。
【００１１】
前記音に関する設定情報には、少なくとも音量設定が含まれるのがよい。また、電話モードの音に関する設定情報については着信音を所定音量で出力するとの設定情報を持たせる一方でテレビ放送視聴モードの音に関する設定情報については着信音を出力しないか或いは異なる音量情報を持つ設定が行えるのがよい。
【発明の効果】
【００１２】
この発明によれば、画像や音に関して、電話モード時とテレビ放送視聴モード時とで別々の設定が可能となるため、テレビ放送視聴が快適に行えるという効果を奏する。
【図面の簡単な説明】
【００１３】
【図１】この発明の実施形態の携帯型電話装置の外観を示した説明図である。
【図２】この発明の実施形態の携帯型電話装置の構成を示したブロック図である。
【発明を実施するための形態】
【００１４】
以下、この発明の実施形態を図１及び図２に基づいて説明する。
【００１５】
図１は、この発明の実施形態の放送受信機能付き携帯型電話装置３０の外観を示した図であって、表示装置（例えば、液晶ディスプレイ）６及び入力装置８におけるキー配置を主に表している。表示装置６には後述するベースバンドチップ３及びアプリケーションプロセッサ４の処理の結果が表示される。入力装置８には、メニューキー８１、十字キー（ＯＫキー付き）８２、クリア（ＣＬＲ）キー８３、電源キー８４などが設けられている。前記十字キー（ＯＫキー付き）８２の上下左右方向キー部分を押下すると、上方、下方、左方、右方にそれぞれカーソルを移動させることができ、中央部をまっすぐ下向きに押すことでＯＫキーとなる。
【００１６】
図２は、携帯型電話装置３０の回路構成を示したブロック図である。１はテレビ放送波を受信するアンテナであり、２は携帯電話の電波を送受信するアンテナである。構成によっては２つの電波を受けるアンテナ１・２を共通化し得る。
【００１７】
チューナモジュール４はディジタルテレビ放送波を受信して変調波を復調する処理等を行う。アプリケーションプロセッサ（ＡＰＰ）５はディジタルテレビ受信処理を行う。このアプリケーションプロセッサ５はチューナモジュール４から復調データを受け取って映像／音声を生成する機能、その他ディジタルテレビの操作に必要な機能を実行するものであり、これら各種処理を行うためのＣＰＵ、ＭＰＥＧ４などの映像データのデコーダ、ＡＡＣなどの音声データのデコーダを行う処理回路が複合化されたＬＳＩから成る。
【００１８】
ベースバンドチップ（ＢＢ）３は、携帯電話の発着信、通話、ネットワーク接続などの制御を行うものであり、携帯電話に必要な変復調、信号処理、通話処理を行う各種回路とＣＰＵとが複合化されたＬＳＩから成る。また、この実施形態では、ベースバンドチップ（ＢＢ）３によって、待ち受け画面、通話時画面、メール画面（作成／受信）などが作成
される。
【００１９】
ベースバンドチップ３にはメモリ９が接続されており、アプリケーションプロセッサ５にはメモリ１０が接続されている。前記メモリ９・１０はプログラムや各種設定データを保存するフラッシュメモリ（不揮発性メモリ）と作業用に使用されるＤＲＡＭとで構成されている。表示装置６はベースバンドチップ３およびアプリケーションプロセッサ５に接続され、それぞれの処理の結果を表示する。スピーカ装置７は、ベースバンドチップ３およびアプリケーションプロセッサ５に接続され、それぞれの出力音声信号に基づいて音声（着信音含む）を出力する。入力装置８は後述する各種キーを備えて成り、ベースバンドチップ３に接続されている。
【００２０】
前記表示装置６は、例えば液晶表示パネルとバックライトとドライバとを備えて成る。ドライバは、入力された映像データに基づいて液晶表示パネルを駆動すると共に、指定されたコントラスト設定情報に基づいてパネルの駆動制御を行ったり、指定された輝度設定情報に基づいてバックライトの発光量（供給電力）を制御する。
【００２１】
前記スピーカ装置７は、例えば、入力された音声データをアナログ音声信号に変換するＤ／Ａ変換器、アナログ音声信号を増幅するアンプ、及びスピーカを備えて成る。アンプは指定された増幅率（音量設定情報）に基づいてアナログ音声信号を増幅する。
【００２２】
ベースバンドチップ３はＴＶ視聴を要求するユーザ操作（メニュー画面上からの要求に限らず、例えば、入力装置８に設けられた例えば「ＴＶボタン」の操作でもよい）を検出したとき、アプリケーションプロセッサ５に放送受信処理を指示すると共に、表示装置６の入力及びスピーカ装置７の入力をアプリケーションプロセッサ５側に切り替える処理を実行する。ベースバンドチップ３及びアプリケーションプロセッサ５は共に現在状態がＴＶ視聴モードか或いは電話モードかを判断することができる。
【００２３】
ベースバンドチップ３に接続されているメモリ９のフラッシュメモリには、電話モード時（ＴＶ視聴時以外の、電話待ち受け時、メール作成時、各種設定時等を含む）の画像／音の関連情報（コントラスト情報、画面輝度情報、音量情報等）が格納されている。これら情報はユーザ操作（メニュー画面上での操作等）で変更することができる。
【００２４】
また、この実施形態では、ＴＶ視聴モード時の画像／音の関連情報（ＴＶ視聴モード時のコントラスト情報、画面輝度情報、音量情報等）についても前記ベースバンドチップ３に接続されたメモリ９のフラッシュメモリに格納されている。ベースバンドチップ３はメモリ９から前記ＴＶ視聴モード時の画像／音の関連情報を読み出し、アプリケーションプロセッサ５に放送受信処理を指示するときに、当該関連情報をアプリケーションプロセッサ５に与える。
【００２５】
次に、ベースバンドチップ３の処理及びアプリケーションプロセッサ５の処理を説明していく。携帯型電話装置３０の電源ＯＮによって、ベースバンドチップ３は、まず、初期処理を行う。初期処理には、メモリ（ＤＲＡＭ）のクリア、入力装置８の初期化、表示装置６やスピーカ装置７の初期化などがある。表示装置６やスピーカ装置７の初期化においては、ベースバンドチップ３はメモリ９から読み出した電話モード時の画像／音の関連情報に基づいて表示装置６のドライバ設定やスピーカ７の設定を行う。前記ドライバは例えば画面輝度情報に基づくバックライトの明るさ（供給電力）の設定等を行い、スピーカ７は増幅率設定を行うことになる。初期化が終了すると、待ち受け画面を表示し、何らかのイベント発生を待つ。イベントにはキーの入力、着呼、メールの着信、電池チェックタイマーなどがある。イベントが発生した場合には、そのイベントの種類によって処理が分かれることになる。イベントがメニューキー８１の押下であると判断した場合、ベースバン
ドチップ３は表示装置６にメインメニューを表示する。
【００２６】
ベースバンドチップ３は入力装置８の各キーが操作されたときに発生するキーコードを判定し、例えば、十字キー８２の上端を押したときに発生するキーコード（上方向キーのキーコード）であれば、メニュー画面上のカーソルを上方向に移動させる。また、十字キー８２の中央を押したときに発生するキーコード（ＯＫキーのキーコード）であれば、カーソルが位置している項目の内容の実行に移行する。この項目が「ＴＶ視聴」であれば、ベースバンドチップ３はアプリケーションプロセッサ５をアクティブにし、アプリケーションプロセッサ５に対してＴＶ視聴機能の開始コマンドを通知する。このコマンドによって、アプリケーションプロセッサ５はＴＶ視聴の処理を開始することになる。
【００２７】
また、上記コマンドの通知に際して、ベースバンドチップ３はメモリ９からＴＶ視聴モード時の画像／音の関連情報を読み出してアプリケーションプロセッサ５に与える。アプリケーションプロセッサ５は前記関連情報をメモリ１０（ＤＲＡＭ）に書き込むと共に、当該関連情報に基づいて表示装置６のドライバ設定やスピーカ７の設定を行う。前記ドライバは例えば前記関連情報である画面輝度情報に基づいてバックライトの明るさ（供給電力）の設定等を行い、スピーカ７は増幅率設定を行うことになる。そして、アプリケーションプロセッサ５は、チューナ４からの受信映像データを表示装置６のドライバに与えると共に受信音声データをスピーカ装置７に与える。
【００２８】
ＴＶ視聴モードでは、例えば、十字キー８１の上下方向キーをチャンネルアップ／ダウンキーとして機能させ、左右方向キーを音量アップ／ダウンキーとして機能させることが考えられる。ベースバンドチップ３は入力されたキーコードをアプリケーションプロセッサ５に転送する。アプリケーションプロセッサ５は転送されたキーコードに基づいて要求を判定し、チャンネルアップ／ダウンや音量アップ／ダウンの処理を実行する。アプリケーションプロセッサ５は、音量アップ／ダウンの処理を行うときには、このアップ／ダウンによる変更設定値をメモリ１０（ＤＲＡＭ）に書き込む。ベースバンドチップ３へはその都度、変更設定値を送出するか、或いは、ＴＶ視聴モードの終了時に最終設定値を送出する。ベースバンドチップ３は受け取った変更設定値或いは最終設定値を新設定値としてメモリ９のフラッシュメモリに格納する（書き換える）。
【００２９】
また、この実施形態では、ＴＶ視聴時にユーザが所定キーを長押しすると、この所定キーの長押しをベースバンドチップ３が判定し、この所定キーの押下情報をアプリケーションプロセッサ５に与えることとしている。アプリケーションプロセッサ５は前記押下情報がコントラスト設定を示すものであれば、現在のコントラスト値を例えば受信番組の画面に重ねた（スーパーインポーズした）画像を生成する。そして、例えば、十字キー８２のキーコードがベースバンドチップ３を介してアプリケーションプロセッサ５に伝えられると、アプリケーションプロセッサ５はキーコードに基づいてコントラストの設定値を変更する。アプリケーションプロセッサ５は、コントラストの設定値を変更するときには、変更設定値をメモリ１０（ＤＲＡＭ）に書き込む。ベースバンドチップ３へはその都度、変更設定値を送出するか、或いは、ＴＶ視聴モードの終了時に最終設定値を送出する。ベースバンドチップ３は受け取った変更設定値或いは最終設定値を新設定値としてメモリ９に格納する（書き換える）。
【００３０】
ベースバンドチップ３は電話モードにおいて（待ち受け状態において）着信があったとき、予め設定されている着信音をスピーカ装置７から出力させる。その音量は、メモリ９に格納されている電話モード時の画像／音の関連情報に基づいたものとなる。また、バイブレーションが設定されていれば、着信時には図示しない振動子を駆動する。一方、ベースバンドチップ３はＴＶ視聴モードにおいて着信があったとき、メモリ９に格納されているＴＶ視聴モード時の画像／音の関連情報に基づいて処理を行う。当該関連情報が”着信
音無し”であれば、スピーカ装置７からは着信音は出力されない。また、ベースバンドチップ３は、”着信音有り”であれば、スピーカ装置７を自身側に切り替え、ＴＶ視聴モード時の着信音量情報に基づいてスピーカ装置７を駆動することになる。この着信音量情報については、電話モード時の着信音よりも低くするといった設定がユーザによって選択されるであろう。
【００３１】
ベースバンドチップ３は、電話モードの待ち受け画面を表示させるときは、高輝度で表示装置６を駆動する一方で、タイマーのカウントを開始し、所定時間経過後には低輝度で表示装置６を駆動する。前記所定時間に関する情報は、メモリ９に格納されている電話モード時の画像／音の関連情報に基づいたものとなる。一方、ベースバンドチップ３は、ＴＶ視聴処理をアプリケーションプロセッサ５に実行させるとき、前記所定時間に関する情報がＴＶ視聴モード時の画像／音の関連情報として存在すれば、この情報をアプリケーションプロセッサ５に送出する。これにより、例えば、電話モードの待ち受け画面は例えば５秒程度で低輝度表示となり、ＴＶ視聴モードの受信番組画面は３０分で低輝度になるといったことが可能になる。低輝度とするときの輝度情報はＴＶ視聴モード時の画像／音の関連情報として保持しておけばよい。また、ＴＶ視聴モード時の画像／音の関連情報として前記所定時間に関する情報がなければ、当該所定時間に関する情報はアプリケーションプロセッサ５には送出されないので、時間の制約なく、表示装置６は所定輝度を維持することになる。
【００３２】
なお、上記実施形態では、ベースバンドチップ３のＣＰＵとアプリケーションプロセッサ５のＣＰＵとで処理を分担することとしたが、一つのＣＰＵによって電話モードの処理とＴＶ視聴モードの処理を担うようにしてもよい。また、分担の仕方についても、上述した例示に限定されるものではない。また、ＴＶ視聴モード時の画像／音の関連情報はベースバンドチップ３に接続されたメモリ９（不揮発性メモリ）に格納することとしたが、アプリケーションプロセッサ５に接続されたメモリ１０（不揮発性メモリ）に格納してもよい。
【符号の説明】
【００３３】
３    ベースバンドチップ（ＢＢ）
４    チューナ
５    アプリケーションプロセッサ（ＡＰＰ）
６    表示装置
７    スピーカ装置
８    入力装置 
【図１】
0005597744.tif 000002
【図２】
0005597744.tif 000003